(57)【要約】【課題】ディスクトレイの開閉を指令する開閉キーを操作しなくても、光ディスクの信号記録面をディスク装置に近づけることにより、ディスクトレイを自動的に引き出すことができるようにする。【解決手段】所定のパルス変調された赤外光をディスクトレイの引き出し方向の仰角方向に向けて発光して、ディスクトレイの引き出し方向の仰角方向からの赤外光を受光し、受光された赤外光が所定のパルス変調された赤外光であるか否かを判別して、受光された赤外光が所定のパルス変調された赤外光であるとき、ディスクトレイの引き出しを警告して、所定の駆動速度よりも遅い速度でディスクトレイを引き出すようにする。【選択図】　　　　図２
0003097895.tif 000002
【実用新案登録請求の範囲】
【請求項１】
ディスクトレイに載置された光ディスクをローディングして、光ディスクを再生するディスク装置であって、
ディスクトレイを駆動する駆動手段と、所定のパルス変調された赤外光をディスクトレイの引き出し方向の仰角方向に向けて発光する発光手段と、ディスクトレイの引き出し方向の仰角方向からの赤外光を受光する受光手段と、前記受光手段により受光された赤外光が所定のパルス変調された赤外光であるか否かを判別する判別手段と、前記判別手段が前記受光手段により受光された赤外光が所定のパルス変調された赤外光であると判別したとき、前記駆動手段を低速駆動させて所定の引き出し速度より遅い速度でディスクトレイを引き出すように制御する制御手段と、ディスクトレイの引き出し時に、ディスクトレイの引き出しを警告する警告手段とを備えたことを特徴とするディスク装置。
【請求項２】
ディスクトレイに載置された光ディスクをローディングして、光ディスクを再生するディスク装置であって、
ディスクトレイを駆動する駆動手段と、所定のパルス変調された赤外光をディスクトレイの引き出し方向に向けて発光する発光手段と、ディスクトレイの引き出し方向からの赤外光を受光する受光手段と、前記受光手段により受光された赤外光が所定のパルス変調された赤外光であるか否かを判別する判別手段と、前記判別手段が前記受光手段により受光された赤外光が所定のパルス変調された赤外光であると判別したとき、前記駆動手段を駆動させてディスクトレイの引き出しを制御する制御手段とを備えたことを特徴とするディスク装置。
【請求項３】
前記発光手段は、所定のパルス変調された赤外光をディスクトレイの引き出し方向の仰角方向に向けて発光する発光手段であり、前記受光手段は、ディスクトレイの引き出し方向の仰角方向からの赤外光を受光する受光手段であることを特徴とする請求項２記載のディスク装置。
【請求項４】
前記制御手段は、前記駆動手段を低速駆動させて所定の引き出し速度より遅い速度でディスクトレイを引き出すように制御する制御手段であることを特徴とする請求項２記載のディスク装置。
【請求項５】
ディスクトレイの引き出し時に、ディスクトレイの引き出しを警告する警告手段を備えたことを特徴とする請求項２記載のディスク装置。
【請求項６】
前記警告手段は、ディスク装置のフロントパネルに設けられたＬＥＤを点滅して警告する警告手段であることを特徴とする請求項１又は請求項５のいずれかに記載のディスク装置。
【考案の詳細な説明】
【０００１】
【考案の属する技術分野】本考案は、ＤＶＤ（Ｄｉｇｉｔａｌ　Ｖｅｒｓａｔｉｌｅ　Ｄｉｓｃ）、ＣＤ（Ｃｏｍｐａｃｔ　Ｄｉｓｋ）等の光ディスクに記録された映像音声信号を再生するディスク装置に係り、特に光ディスクの信号記録面をディスク装置に近づけることにより、ディスクトレイを自動的に引き出す機能を有するディスク装置に関する。
【０００２】
【従来の技術】周知のように、光ディスクをディスクトレイに載置して光ディスクをローディングするディスク装置は、光ディスクをローディングする際、リモコン装置等に設けられた取出キーを操作して、トレイモータを駆動してディスクトレイをディスク装置から引き出し、光ディスクが載置されたディスクトレイをディスク装置の筐体内に引き込んで、光ディスクをローディングするようになっている。そのため、光ディスクをディスク装置にローディングするとき、ユーザは、リモコン装置等に設けられたディスクトレイの開閉を指令する開閉キーを操作して、ディスクトレイをディスク装置から引き出し、光ディスクをディスクトレイに載置して、光ディスクをディスク装置にローディングしなければならないという煩わしい問題点があった。
【０００３】従来の技術としては、トレイ部を開く動作中に電源を切る操作があった場合、トレイ部を開く動作を継続し、トレイ部の開動作完了後に電源を切り、トレイ部を開く動作を行った場合、トレイ部の開動作完了後に電源を切り、トレイ部の開動作完了後に電源を切った後、トレイ部を閉める操作があった場合、電源を入れてトレイ部を閉める動作を行い、トレイ部の閉動作完了後に電源を切り、トレイ部の開動作完了後に電源を切った後、ディスク再生操作があった場合、電源を入れてトレイ部を閉め、ディスクがある場合にはディスク再生操作に対応した動作を行い、ディスクがない場合には電源を切るようにしたものがあった（例えば、特許文献１参照）。
【０００４】
【特許文献１】特開平９−２１２９９０号公報
【０００５】
【考案が解決しようとする課題】しかしながら、従来の技術で述べたものにおいては、トレイ部を開く動作中に電源を切る操作があった場合、トレイ部を開く動作を継続し、トレイ部の開動作完了後に電源を切り、トレイ部を開く動作を行った場合、トレイ部の開動作完了後に電源を切り、トレイ部の開動作完了後に電源を切った後、トレイ部を閉める操作があった場合、電源を入れてトレイ部を閉める動作を行い、トレイ部の閉動作完了後に電源を切り、トレイ部の開動作完了後に電源を切った後、ディスク再生操作があった場合、電源を入れてトレイ部を閉め、ディスクがある場合にはディスク再生操作に対応した動作を行い、ディスクがない場合には電源を切ることができたが、光ディスクをディスク装置にローディングするとき、ユーザは、リモコン装置等に設けられたディスクトレイの開閉を指令する開閉キーを操作して、ディスクトレイをディスク装置から引き出し、光ディスクをディスクトレイに載置して、光ディスクをディスク装置にローディングしなければならないという問題点があった。
【０００６】本考案は、従来の技術の有するこのような問題点に鑑みてなされたものであり、その目的とするところは、リモコン装置等に設けられたディスクトレイの開閉を指令する開閉キーを操作しなくても、光ディスクの信号記録面をディスク装置に近づけることにより、ディスクトレイを自動的に引き出すことができるディスク装置を提供しようとするものである。
【０００７】
【課題を解決するための手段】上記目的を達成するために、本考案におけるディスク装置は、ディスクトレイに載置された光ディスクをローディングして、光ディスクを再生するディスク装置であって、ディスクトレイを駆動する駆動手段と、所定のパルス変調された赤外光をディスクトレイの引き出し方向に向けて発光する発光手段と、ディスクトレイの引き出し方向からの赤外光を受光する受光手段と、前記受光手段により受光された赤外光が所定のパルス変調された赤外光であるか否かを判別する判別手段と、前記判別手段が前記受光手段により受光された赤外光が所定のパルス変調された赤外光であると判別したとき、前記駆動手段を駆動させてディスクトレイの引き出しを制御する制御手段とを備える。
【０００８】そして、前記発光手段は、所定のパルス変調された赤外光をディスクトレイの引き出し方向の仰角方向に向けて発光するようにし、前記受光手段は、ディスクトレイの引き出し方向の仰角方向からの赤外光を受光するようにするとよい。
【０００９】また、前記制御手段は、前記駆動手段を低速駆動させて、所定の引き出し速度より遅い速度でディスクトレイを引き出すように制御するようにするとよい。
【００１０】更に、ディスクトレイの引き出し時に、ディスクトレイの引き出しを警告する警告手段を備える。
【００１１】前記警告手段は、ディスク装置のフロントパネルに設けられたＬＥＤを点滅して警告するようにするとよい。
【００１２】上記のように構成することにより、ディスクトレイの開閉を指令するリモコン装置等に設けられた開閉キーを操作しなくても、光ディスクの信号記録面をディスク装置に近づけることにより、ディスクトレイを自動的に引き出すことができる。
【００１３】
【考案の実施の形態】以下、適宜図面を参照しながら本考案の実施の形態を詳述する。図１は本考案の実施の形態に係るディスク装置の構成を示すブロック図であり、図２は本考案の実施の形態に係るディスク装置を示す説明図であり、図３は本考案の実施の形態に係るディスク装置の動作を示す説明図であり、図４は本考案の実施の形態に係るディスク装置の動作を示す説明図であり、図５は本考案の実施の形態に係るディスク装置の動作を示すフローチャートである。
【００１４】まず、図１の本考案の実施の形態に係るディスク装置の構成を示すブロック図を基に説明する。
【００１５】ディスク装置１０は、光ディスク２０を載置するディスクトレイ１１と、ディスクトレイ１１を駆動するトレイモータ１２と、トレイモータ１２を駆動する駆動回路１３と、所定のパルス変調された赤外光を発光する赤外発光素子１４と、赤外発光素子１４に所定のパルス変調した電圧を印加して、赤外光を発光させるパルス変調回路１５と、赤外光を受光する赤外受光素子１６と、赤外受光素子１６により受光された赤外光を検出して電気信号に変換する検出回路１７と、ディスク装置１０のシステム全体を制御するマイコン１８と、ディスクトレイ１１の引き出し時に、ディスクトレイ１１の引き出しを点滅して警告するＬＥＤ１９とで構成されている。
【００１６】また、図２の本考案の実施の形態に係るディスク装置を示す説明図を基に説明する。
【００１７】赤外発光素子１４は、ディスク装置１０のフロントパネル１０ａのディスクトレイ１１の近傍に配設されていて、ディスクトレイ１１が引き出されたとき、ディスクトレイ１１の引き出し方向に近づけられた光ディスク２０に衝突して、光ディスク２０の信号記録面２０ａを損傷させることがないように（図４参照）、所定のパルス変調された赤外光をディスクトレイ１１の引き出し方向の仰角方向に向けて発光するようになっている（図３参照）。そして、赤外受光素子１６は、ディスク装置１０のフロントパネル１０ａのディスクトレイ１１の近傍に配設されていて、赤外発光素子１４の発光した赤外光の反射光を受光するように、ディスクトレイの引き出し方向の仰角方向からの赤外光を受光するようになっている（図３参照）。また、ＬＥＤ１９は、ディスク装置１０のフロントパネル１０ａのディスクトレイ１１から若干離れた位置に配設されていて、ディスクトレイ１１の引き出し時に、ＬＥＤ１９が点滅して警告していることがわかりやすいようになっている。
【００１８】以上のように構成されたディスク装置について、図３の本考案の実施の形態に係るディスク装置の動作を示す説明図と、図４の本考案の実施の形態に係るディスク装置の動作を示す説明図とを参照しながら、以下その動作について説明する。
【００１９】ディスク装置１０の電源がＯＮにされると、マイコン１８は、パルス変調回路１５に制御信号を送出して、所定のパルス変調した電圧を赤外発光素子１４に印加し、赤外発光素子１４により所定のパルス変調された赤外光をディスクトレイ１１の引き出し方向の仰角方向に向けて発光させて、ディスクトレイ１１の引き出し方向の仰角方向からの赤外光を赤外受光素子１６により受光し、検出回路１７から送出された電気信号を受信して、赤外発光素子１４が発光した所定のパルス変調された赤外光の反射光が赤外受光素子１６により受光されたか否かを判別する。
【００２０】ユーザが光ディスク２０の高反射率の信号記録面２０ａをディスク装置１０のフロントパネル１０ａに近づけると、赤外発光素子１４が発光した所定のパルス変調された赤外光が、光ディスク２０の信号記録面２０ａにより反射され、赤外発光素子１４が発光した所定のパルス変調された赤外光が赤外受光素子１６により受光される（図３参照）。所定のパルス変調された赤外光が赤外受光素子１６により受光されると、受光された赤外光が検出回路１７により検出されてマイコン１８に送出される。マイコン１８は、赤外受光素子１６により受光された所定のパルス変調された赤外光の検出信号を受信すると、ＬＥＤ１９を所定時間点滅させて、ユーザにディスクトレイ１１の引き出しを警告する。
【００２１】そして、ＬＥＤ１９を所定時間点滅させてディスクトレイ１１の引き出しを警告した後、マイコン１８は、駆動回路１３に制御信号を送出して、ディスクトレイ１１が光ディスク２０に衝突して、光ディスク２の信号記録面２０ａが損傷されることがないように、トレイモータ１２を低速駆動させて、所定の引き出し速度より遅い速度でディスクトレイ１１を引き出す（図４参照）。
【００２２】ユーザが、光ディスク２０をディスクトレイ１１に載置して、ディスクトレイ１１を軽く押し込むか、或いはリモコン装置等に設けられたディスクトレイの開閉を指令する開閉キー（図示せず）を操作すると、マイコン１８は、駆動回路１３に制御信号を送出して、トレイモータ１２を駆動させ、所定の引き込み速度でディスクトレイ１１を引き込んで、ディスクトレイ１１を閉める（図示せず）。
【００２３】ディスクトレイ１１が閉められると、マイコン１８は、パルス変調回路１５に制御信号を送出して、所定のパルス変調した電圧を赤外発光素子１４に印加し、赤外発光素子１４により所定のパルス変調された赤外光をディスクトレイ１１の引き出し方向の仰角方向に向けて発光させ、赤外受光素子１６によりディスクトレイの引き出し方向の仰角方向からの赤外光を受光して、ディスク装置１０のフロントパネル１０ａのディスクトレイ１１の引き出し方向の仰角方向に光ディスク２０の信号記録面２０ａが近づけられたか否かを判別して上記の動作を繰り返す。これにより、ユーザは、ディスクトレイの開閉を指令するリモコン装置等に設けられた開閉キーを操作しなくても、光ディスクの信号記録面をディスク装置に近づけることにより、ディスクトレイが自動的に引き出されるので、光ディスクをディスクトレイに載置したり、交換したりすることができる。
【００２４】なお、赤外受光素子１６は、赤外発光素子１４が発光した赤外光以外の赤外光も受光するが、赤外発光素子１４が発光する赤外光は所定のパルス変調された赤外光であるため、他の赤外光を受光してもそれを識別することができるようになっていて、外乱光による誤動作を防止するようになっている。
【００２５】また、図５の本考案の実施の形態に係るディスク装置の動作を示すフローチャートを基に説明する。
【００２６】ディスク装置の電源がＯＮになると、ステップＳ１からステップＳ２に進み、赤外発光素子により所定のパルス変調された赤外光が発光され、ステップＳ３に進む。
【００２７】ステップＳ３で、赤外受光素子により赤外光が受光されたか否かが判断され、赤外光が受光された場合、ステップＳ４に進み、赤外光が受光されていない場合、ステップＳ２に戻って、ステップＳ２からのステップを繰り返す。
【００２８】ステップＳ４で、受光された赤外光が所定のパルス変調された赤外光であるか否かが判断され、受光された赤外光が所定のパルス変調された赤外光である場合、ステップＳ５に進み、受光された赤外光が所定のパルス変調された赤外光でない場合、ステップＳ２に戻って、ステップＳ２からのステップを繰り返す。
【００２９】ステップＳ５で、ＬＥＤを点滅させてディスクトレイの引き出しが警告され、ステップＳ６に進む。
【００３０】ステップＳ６で、ＬＥＤの点滅時間が所定時間経過したか否かが判断され、ＬＥＤの点滅時間が所定時間経過した場合、ステップＳ７に進み、ＬＥＤの点滅時間が所定時間経過していない場合、ステップＳ５に戻って、ステップＳ５からのステップを繰り返す。
【００３１】ステップＳ７で、駆動回路によりトレイモータが低速駆動され、所定の引き出し速度より遅い速度でディスクトレイが引き出されて、ステップＳ８に進む。
【００３２】ステップＳ８で、ディスクトレイが閉められたか否かが判断され、ディスクトレイが閉められた場合、ステップＳ２に戻って、ステップＳ２からのステップを繰り返し、ディスクトレイが閉められていない場合、ディスクトレイが閉められるまで、ステップＳ８のステップを繰り返す。
【００３３】以上、本考案の実施の形態について詳述したが、本考案はこれに限らず、当業者の通常の知識の範囲内でその変形や改良が可能である。例えば、赤外発光素子と赤外受光素子とをディスクトレイの左右両側に設けて、ディスクトレイの前方に近づけられた光ディスクを検知することを説明したが、赤外発光素子と赤外受光素子とをディスクトレイの左側、或るいは右側に揃えて設けるようにしてもよい。
【００３４】また、ディスクトレイの引き出し時に、ＬＥＤを点滅させてディスクトレイの引き出しを警告することを説明したが、ブザーを鳴動させてディスクトレイの引き出しを警告するようにしてもよい。
【００３５】
【考案の効果】以上説明してきたように、本考案によるディスク装置によれば、赤外発光素子により所定のパルス変調された赤外光をディスクトレイの引き出し方向の仰角方向に向けて発光して、赤外受光素子によりディスクトレイの引き出し方向の仰角方向からの赤外光を受光し、赤外受光素子により受光された赤外光が所定のパルス変調された赤外光であるか否かを判別して、赤外受光素子により受光された赤外光が所定のパルス変調された赤外光であるとき、ＬＥＤを所定時間点滅させてディスクトレイの引き出しを警告した後、トレイモータを低速駆動させて、所定の駆動速度よりも遅い速度でディスクトレイを引き出すことができる。このことにより、リモコン装置等に設けられたディスクトレイの開閉を指令する開閉キーを操作しなくても、光ディスクの信号記録面をディスク装置に近づけることにより、ディスクトレイを自動的に引き出すことができる。
【００３６】請求項１記載の考案に係るディスク装置は、所定のパルス変調された赤外光をディスクトレイの引き出し方向の仰角方向に向けて発光して、ディスクトレイの引き出し方向の仰角方向からの赤外光を受光し、受光された赤外光が所定のパルス変調された赤外光であるか否かを判別して、受光された赤外光が所定のパルス変調された赤外光であるとき、ディスクトレイの引き出しを警告して、所定の駆動速度よりも遅い速度でディスクトレイを引き出すようにしているので、外乱光による誤動作を防止するとともに、ディスクトレイが引き出されたとき、ディスクトレイの引き出し方向に近づけられた光ディスクに衝突して、光ディスクの信号記録面を損傷させることなく、リモコン装置に設けられた開閉キーを操作しなくても、ディスクトレイを引き出すことができる。
【００３７】請求項２記載の考案に係るディスク装置は、所定のパルス変調された赤外光をディスクトレイの引き出し方向に向けて発光して、ディスクトレイの引き出し方向からの赤外光を受光し、受光された赤外光が所定のパルス変調された赤外光であるか否かを判別して、受光された赤外光が所定のパルス変調された赤外光であるとき、ディスクトレイを引き出すようにしているので、外乱光による誤動作を防止することができ、リモコン装置に設けられた開閉キーを操作しなくても、ディスクトレイを引き出すことができる。
【００３８】請求項３記載の考案に係るディスク装置は、所定のパルス変調された赤外光をディスクトレイの引き出し方向の仰角方向に向けて発光して、ディスクトレイの引き出し方向の仰角方向からの赤外光を受光するようにしているので、ディスクトレイが引き出されたとき、ディスクトレイの引き出し方向に近づけられた光ディスクに衝突して、光ディスクの信号記録面を損傷させることがない。
【００３９】請求項４記載の考案に係るディスク装置は、所定の駆動速度よりも遅い速度でディスクトレイを引き出すようにしているので、ディスクトレイが引き出されるとき、ユーザは光ディスクをディスクトレイから離すことができ、光ディスクがディスクトレイに衝突することを防止することができる。
【００４０】請求項５記載の考案に係るディスク装置は、ディスクトレイの引き出し時に、ディスクトレイの引き出しを警告するようにしているので、ユーザはディスクトレイが引き出されることがわかる。
【００４１】請求項６記載の考案に係るディスク装置は、ディスク装置のフロントパネルに設けられたＬＥＤを点滅して警告するようにしているので、ユーザがディスクトレイが引き出されることを認識しやすい。
【図面の簡単な説明】
【図１】本考案の実施の形態に係るディスク装置の構成を示すブロック図である。
【図２】本考案の実施の形態に係るディスク装置を示す説明図である。
【図３】本考案の実施の形態に係るディスク装置の動作を示す説明図である。
【図４】本考案の実施の形態に係るディスク装置の動作を示す説明図である。
【図５】本考案の実施の形態に係るディスク装置の動作を示すフローチャートである。
【符号の説明】
１０　ディスク装置
１０ａ　フロントパネル
１１　ディスクトレイ
１２　トレイモータ
１３　駆動回路
１４　赤外発光素子
１５　パルス変調回路
１６　赤外受光素子
１７　検出回路
１８　マイコン
１９　ＬＥＤ
２０　光ディスク
２０ａ　信号記録面
【図１】
0003097895.tif 000003
【図２】
0003097895.tif 000004
【図３】
0003097895.tif 000005
【図４】
0003097895.tif 000006
【図５】
0003097895.tif 000007